(57)【特許請求の範囲】
【請求項１】
一面を開放した１組の有底円筒体を、互いの開口面同士を向き合わせて嵌合し、内側の有底円筒体を収容体としてその底面を下面とし、外側の有底円筒体を蓋体としてその底面を開閉蓋とし、対接した互いの周面を接着してなる円筒状容器であって、前記開閉蓋の周縁を、前記収容体の周面上端と、前記蓋体の周面上端に形成した折曲縁とによって、上下から回転可能に挟持し、前記開閉蓋の周縁から中心に向けて切れ目線を形成する一方、前記開閉蓋を回転してその周縁を前記蓋体の折曲縁に順次乗り上げることにより、前記開閉蓋を前記蓋体から離脱するために、前記開閉蓋の前記切れ目線に隣接する周縁部を摘み上げるべく露出するための開封用ミシン目を、前記蓋体の周面上端から斜め下に向けて設けたことを特徴とする円筒状容器の開閉機構。
【請求項２】
収容体には、蓋体の開封用ミシン目に対応する位置に、切り欠き部を設けたことを特徴とする請求項１に記載の円筒状容器の開閉機構。
【発明の詳細な説明】
【０００１】
【発明の属する技術分野】
本発明は円筒状容器の開閉機構に関し、特に、郵送体としても利用可能な円筒状容器における開閉機構に関する。
【０００２】
【従来の技術】
従来の円筒状容器の開閉機構は、第１に、一面を開口した高さの異なる１組の有底円筒体を、高さの高いものを内側にして、互いの開口面同士を向き合わせて離反可能に嵌合し、外側の有底円筒体を蓋体としてこの蓋体を挿脱可能にした構成や、第２に、二面を閉塞した有底円筒容器の一面にいわゆるプルトップ式の開封機構を設けた構成が一般的である。
【０００３】
【発明が解決しようとする課題】
この従来例によると、第１の構成では、蓋体の開閉は容易であり、また、繰り返し開閉可能であるが、容易に開閉可能なために、郵送体として使用する場合には、蓋体が離反しないように強固に接着しなければならず、これを開封するのが困難となり、ときには円筒状容器自体を破壊しなければ開封できなかった。したがって、この郵送体として使用する場合には、開封作業が困難で繁雑であるとともに、円筒状容器を破壊した場合には、これを再利用することができず、ゴミとして廃棄せざるを得ないので、省資源に反するという不都合がある。
【０００４】
また、従来の第２の構成では、一旦開封した場合には、開口面を再度閉塞することができないため、収納容器として再利用することができず、第１の構成と同様に、ゴミとして廃棄せざるを得ないので、省資源に反するという不都合がある。本発明は、このような従来例の有する不都合を解消した、円筒状容器の開閉機構を提供することを目的とする。
【０００５】
【課題を解決するための手段】
この目的を達成するために、本発明の円筒状容器の開閉機構は、一面を開口した１組の有底円筒体を、互いの開口面同士を向き合わせて嵌合し、内側の有底円筒体を収容体としてその底面を下面とし、外側の有底円筒体を蓋体としてその底面を開閉蓋とし、対接した互いの周面を接着してなる円筒状容器であって、前記開閉蓋の周縁を、前記収容体の周面上端と、前記蓋体の周面上端に形成した折曲縁とによって、上下から回転可能に挟持し、前記開閉蓋の周縁から中心に向けて切れ目線を形成する一方、前記開閉蓋を回転してその周縁を前記蓋体の折曲縁に順次乗り上げることにより、前記開閉蓋を前記蓋体から離脱するために、前記開閉蓋の切れ目線に隣接する周縁部を摘み上げるべく露出するための開封用ミシン目を、前記蓋体の周面上端から斜め下に向けて設けたものである。
【０００６】
上記構成において、収容体に、蓋体の周面上端から斜め下に向けて形成した開封用ミシン目に対応した位置に切り欠き部を設けると、開閉蓋の露出した周縁部を摘む動作がより容易となって好適である。また、この切り欠き部は、前記開封用ミシン目よりも大きく形成しても、開閉蓋の支持には支障をきたさないので、前記収容体に対する前記蓋体の位置決めも容易である。
【０００７】
【発明の実施の形態】
以下、添付図面に基づいて本発明の好適な実施形態を説明する。ここにおいて、図１は円筒状容器の斜視図、図２は同じく平面図、図３は図２のＡ−Ａ線断面図、図４は開封動作を示す斜視図である。
【０００８】
図１〜図３に示すように、円筒状容器１は、ともに紙製で一面を開口した１組の有底円筒体を、互いの開放面同士を向き合わせて嵌合し、内側の有底円筒体を収容体２としてその底面を下面４とし、外側の有底円筒体を蓋体３としてその底面を開閉蓋５とし、対接した互いの周面２ａ，３ａを接着してなる。
【０００９】
図３で理解できるように、開閉蓋５は、その周縁を、収容体２の周面２ａ上端と、蓋体３の周面３ａ上端に形成した折曲縁３ｂとで、上下から挟持されることにより、回転可能に支持されている。そして、前記開閉蓋５の周縁から中心に向けて切れ目線であるスリット６を形成している。
【００１０】
図１及び図２で理解できるように、蓋体３には、その周面３ａの折曲縁３ｂを含む上端から斜め下に向けて、開封用ミシン目７を設けている。この開封用ミシン目７は、これを破断して、開閉蓋５のスリット６に隣接する周縁部を露出するためのものである。一方、図３で理解できるように、収容体２の前記開封用ミシン目７に対応する周面２ａ上端部には、前記露出した周縁部を摘み易くするための長方形状の切り欠き部８を設けている。この切り欠き部８は、前記開封ミシン目７に比較し、周方向の長さを十分長く設定している。したがって、前記収容体２に対する前記蓋体３の位置決めは、高い精度を要求されず、容易である。
【００１１】
図示してはいないが、収容体２の内部には、この収容体２の内径とほぼ同一の直径を有する円形のチラシやリーフレットのような収納物を収納している。この収納物の収納は、蓋体３を収容体２に嵌合して互いの周面２ａ，３ａを接着する前になされるものである。また、円筒状容器１を郵送体として使用する場合には、開閉蓋５または下面４の表出面の一方を宛名表示面とし、ここに宛名を表示した宛名ラベルを貼付したり、宛名を直接記入するものである。
【００１２】
続いて、円筒状容器１の開封動作を、図４に基づいて説明する。まず、開封用ミシン目７を破断して、この部分を外側に三角形状に捲り上げ、開閉蓋５のスリット６に隣接する周縁部を露出する。この時、前記スリット６が前記開封ミシン目７部分に対応していない場合は、前記開閉蓋５を回転して対応位置させる。
【００１３】
次いで、露出した開閉蓋５のスリット６に隣接する周縁部を摘み上げるのであるが、開封用ミシン目７の破断部分には、収容体２の周面２ａ上端部に設けた切り欠き部８が対応位置しているので、容易に摘み上げることができる。この際、スリット６の左右どちら側を摘むかは、前記開閉蓋５の回転方向で決めるもので、ここでは図４に示すように、蓋体３の折曲縁３ｂから斜め右下に伸びる破断した開封用ミシン目７に向けて前記開閉蓋５を回転するようスリット６の右側を摘み上げたとする。
【００１４】
この場合は、開閉蓋５を図４の矢印方向に回転して摘み上げた周縁部の裏面側を蓋体３の折曲縁３ｂに乗り上げ、同方向への回転を続けて、前記開閉蓋５の周縁部を前記折曲縁３ｂに順次乗り上げることにより前記蓋体３から離脱していき、前記開閉蓋５をほぼ１回転すると、前記開閉蓋５は前記蓋体３から完全に離脱して、上面が開口した開封状態となる。そして、この上面開口部分から収容体２に収納していた収納物を取り出すことができる。
【００１５】
また、円筒状容器１を再度封緘状態にするには、上述とは逆に、開閉蓋５の摘み上げたスリット６に隣接する周縁部を、開封用ミシン目７に対応する収容体２の周面２ａ上端に載置し、前記周縁部の表面側を蓋体３の折曲縁３ｂの下に対応させ、図４の矢印とは逆方向への回転を続けて、前記開閉蓋５の周縁部を前記折曲縁３ｂの下に順次潜り込ませることにより、前記折曲縁３ｂと前記周面２ａ上端で挟持していき、前記開閉蓋５をほぼ１回転すると、前記開閉蓋５は前記折曲縁３ｂと前記周面２ａ上端とによって、その周縁を上下から挟持された封緘状態となる。
【００１６】
なお、本発明は上述した実施形態に限られるものではなく、例えば、開閉蓋５もしくは下面４の一方の少なくとも一部を、透視可能に構成すると、収納物を視認することができて好適である。また、前記開閉蓋５に設ける切れ目線は、スリット６のほか、ミシン目で構成してもよい。さらに、収容体２に設けた切り欠き部８は、必ずしも設ける必要はない。またさらに、開封用ミシン目７は、蓋体３の折曲縁３ｂを含む上端から斜めに下に伸びるよう形成するほか、Ｖ字形に形成してもよい。
【００１７】
【発明の効果】
以上説明したように、本発明の請求項１に記載した円筒状容器の開閉機構によれば、開閉蓋の開封及び閉塞を容易に繰り返し可能であって、開封後の円筒状容器の再使用が可能であるとともに、閉塞状態においては取扱中に不用意に開封する虞がなく、また、開封ミシン目を破断しなければ開封できないので、閉塞状態にあっても、既に開封されたものか否かを一目で判断でき、さらには開封時に広い開口が形成されるので収納物の取り出しが容易であるほか、円形収納物の収納に最適であり、加えて、郵送体としての利用にも好適であるという効果を奏する。
【００１８】
また、本発明の請求項２に記載した円筒状容器の開閉機構によれば、上記効果に加えて、切り欠き部を設けたことにより、開閉蓋の切れ目線に隣接した周縁部を摘み上げることが容易となり、開閉動作をより一層円滑になし得るという効果を奏する。
【図面の簡単な説明】
【図１】円筒状容器の斜視図。
【図２】同じく平面図。
【図３】図２のＡ−Ａ線断面図。
【図４】開封動作を示す斜視図。
【符号の説明】
１      円筒状容器
２      収容体
３      蓋体
２ａ，３ａ      周面
４      下面
５      開閉蓋
６      スリット
７      開封用ミシン目
８      切り欠き部
【図１】
0004121291.tif 000002
【図２】
0004121291.tif 000003
【図３】
0004121291.tif 000004
【図４】
0004121291.tif 000005